(57)【要約】【課題】明るくコンパクトで、特に球面収差が良好に補正された結像レンズを実現する。【解決手段】結像レンズは、物体側から像側へ向かって順次、正の屈折力の第１レンズ群Ｇ１、開口絞りＳ、正の屈折力の第２レンズ群Ｇ２を配してなり、第１レンズ群Ｇ１は、物体側から像側へ向かって順次、正レンズＬ１１、正レンズＬ１２、負レンズＬ１３を配してなり、第２レンズ群Ｇ２は、物体側から像側へ向かって順次、負レンズＬ２１、正レンズＬ２２、正レンズＬ２３を配してなり、第１レンズ群における正レンズＬ１１と正レンズＬ１２との光軸上の間隔：Ｄａ、第１レンズ群の最も物体側のレンズ面から最も像側のレンズ面までの光軸上の距離：Ｄ１が、条件（１）０．２５＜Ｄａ／Ｄ１＜０．５を満足することを特徴とする。【選択図】図１
2014153543.tif 000002
【特許請求の範囲】
【請求項１】
物体側から像側へ向かって順次、正の屈折力の第１レンズ群、開口絞り、正の屈折力の第２レンズ群を配してなり、
第１レンズ群は、物体側から像側へ向かって順次、正レンズＬ１１、正レンズＬ１２、負レンズＬ１３を配してなり、
第２レンズ群は、物体側から像側へ向かって順次、負レンズＬ２１、正レンズＬ２２、正レンズＬ２３を配してなり、
第１レンズ群における正レンズＬ１１と正レンズＬ１２との光軸上の間隔：Ｄａ、第１レンズ群の最も物体側のレンズ面から最も像側のレンズ面までの光軸上の距離：Ｄ１が、条件：
（１）  ０．２５  ＜Ｄａ／Ｄ１＜  ０．５
を満足することを特徴とする結像レンズ。
【請求項２】
請求項１記載の結像レンズにおいて、
第１レンズ群の正レンズＬ１２の材質の、ｄ線に対する屈折率：ｎd12及びアッベ数：νd12、ｇ線とＦ線との間の部分分散比：Ｐｇ,F12が、条件：
（２）  １．５２  ＜ｎｄ12＜  １．６５  
（３）  ６５．０  ＜νｄ12＜  ７５．０  
（４）  ０．００５＜Ｐg,F12−(−０．００１８０２×νd22＋０．６４８３)＜０．０５０
を満足することを特徴とする結像レンズ。
【請求項３】
請求項１または２記載の結像レンズにおいて、
第２レンズ群の正レンズＬ２２と正レンズＬ２３との光軸上の間隔：Ｄｂ、第２レンズ群の最も物体側のレンズ面と最も像側のレンズ面の光軸上の距離：Ｄ２が、条件：
（５）  ０．１  ＜Ｄｂ／Ｄ２＜  ０．６  
を満足することを特徴とする結像レンズ。
【請求項４】
請求項１〜３の任意の１に記載の結像レンズにおいて、
第１レンズ群の正レンズＬ１１の焦点距離：ｆ１１、全系の焦点距離：ｆが、条件：
（６）  ０．８  ＜ｆ１１／ｆ＜  １．２
を満足することを特徴とする結像レンズ。
【請求項５】
請求項１〜４の任意の１に記載の結像レンズにおいて、
第１レンズ群の、正レンズＬ１１の焦点距離：ｆ１１、正レンズＬ１２の焦点距離：ｆ１２が、条件：
（７）  １．４  ＜ｆ１１／ｆ１２＜２．５  
を満足することを特徴とする結像レンズ。
【請求項６】
請求項１〜５の任意の１に記載の結像レンズにおいて、
第１レンズ群の正レンズＬ１１の材質の、ｄ線に対する屈折率：ｎd11及びアッベ数：νd11が、条件：
（８）  １．７５  ＜ｎd11  １．９５  
（９）  ３０．０  ＜νd11  <  ３８．０  
を満足することを特徴とする結像レンズ。
【請求項７】
請求項１〜６の任意の１に記載の結像レンズにおいて、
第２レンズ群の正レンズＬ２３の、物体側面の曲率半径：Ｒ１０、像側面の曲率半径：Ｒ１１が、条件：
（１０）  −１．５  ＜（Ｒ１０−Ｒ１１）／（Ｒ１０＋Ｒ１１）＜  −０．４
を満足することを特徴とする結像レンズ。
【請求項８】
請求項１〜７の任意の１に記載の結像レンズにおいて、
第２レンズ群の正レンズＬ２２と正レンズＬ２３の材質の、ｄ線に対する屈折率：ｎd22、ｎd23が、条件：
（１１）  １．７５  ＜  ｎd22  ＜  １．９５    １．７５  ＜  ｎd23＜  １．９５
【請求項９】
請求項１〜８の任意の１に記載の結像レンズにおいて、
第１レンズ群の正レンズＬ１２と負レンズＬ１３が接合され、
第２レンズ群の負レンズＬ２１と正レンズＬ２２が接合されていることを特徴とする結像レンズ。
【請求項１０】
請求項１〜９の任意の１に記載の結像レンズにおいて、
全てのレンズ面が球面であることを特徴とする結像レンズ。
【請求項１１】
被写体の像を、結像レンズにより、撮像素子の受光面上に結像させる撮影装置において、結像レンズとして、請求項１〜１０の任意の１に記載の結像レンズを用いたことを特徴とする撮影装置。
【発明の詳細な説明】
【技術分野】
【０００１】
この発明は結像レンズおよび撮影装置に関する。
【背景技術】
【０００２】
種々の撮影装置に用いられる結像レンズとして「ガウス型の結像レンズ」が広く知られている。
【０００３】
ガウス型の結像レンズは「開口絞りの一方の側に正・負のレンズ群、他方の側に負・正のレンズ群を配し、開口絞りの両側のレンズ群を対称的」としたものが一般である。
【０００４】
一般的なガウスタイプの結像レンズは、各種の収差、特に球面収差の良好な補正と、明るさ、即ち、小さいＦナンバとを両立させるのが難しいとされている。
【０００５】
「有限距離の被写体」の撮影に用いられるガウスタイプの結像レンズとして、特許文献１に記載されたものが知られている。
【０００６】
特許文献１に記載された結像レンズは、原稿画像の読取用に用いられるものであり、Ｆナンバは３．６程度である。
【０００７】
結像レンズはまた、コンパクトであることが好ましい。
【発明の概要】
【発明が解決しようとする課題】
【０００８】
この発明は、より明るくコンパクトで、特に球面収差が良好に補正された結像レンズの実現を課題とする。
【課題を解決するための手段】
【０００９】
この発明の結像レンズは、物体側から像側へ向かって順次、正の屈折力の第１レンズ群、開口絞り、正の屈折力の第２レンズ群を配してなり、第１レンズ群は、物体側から像側へ向かって順次、正レンズＬ１１、正レンズＬ１２、負レンズＬ１３を配してなり、第２レンズ群は、物体側から像側へ向かって順次、負レンズＬ２１、正レンズＬ２２、正レンズＬ２３を配してなり、第１レンズ群における正レンズＬ１１と正レンズＬ１２との光軸上の間隔：Ｄａ、第１レンズ群の最も物体側のレンズ面から最も像側のレンズ面までの光軸上の距離：Ｄ１が、条件：
（１）  ０．２５  ＜Ｄａ／Ｄ１＜  ０．５
を満足することを特徴とする。
【発明の効果】
【００１０】
この発明によれば、明るく、コンパクトで、特に球面収差が良好に補正された結像レンズを実現できる。
【図面の簡単な説明】
【００１１】
【図１】実施例１の結像レンズの断面形状を示す図である。
【図２】実施例２の結像レンズの断面形状を示す図である。
【図３】実施例３の結像レンズの断面形状を示す図である。
【図４】実施例４の結像レンズの断面形状を示す図である。
【図５】実施例１の結像レンズの収差曲線図である。
【図６】実施例２の結像レンズの収差曲線図である。
【図７】実施例３の結像レンズの収差曲線図である。
【図８】実施例４の結像レンズの収差曲線図である。
【発明を実施するための形態】
【００１２】
実施の形態を説明する。
【００１３】
図１〜図４に、結像レンズの実施の形態を４例示す。
【００１４】
これらの実施の形態はこの順序で、後述する具体的な実施例１〜４に対応する。  
図１〜図４に実施の形態を示す結像レンズは、検査装置への搭載を想定されている。
【００１５】
即ち、有限距離にある被検体を被写体として、撮像素子の受光面上に結像させるためのレンズとして想定されている。
【００１６】
撮像素子から出力される画像情報は、検査や画像処理の対象となる。
【００１７】
繁雑を避けるため、図１〜図４において、符号を共通化する。
【００１８】
図１〜図４において図の左方が物体側であり、図の右方は像側である。  
図１〜図４に示された結像レンズは、物体側から像側へ向かって順次、正の屈折力の第１レンズ群Ｇ１、開口絞りＳ、正の屈折力の第２レンズ群Ｇ２を配してなる。
【００１９】
第１レンズ群Ｇ１は、物体側から像側へ向かって順次、正レンズＬ１１、正レンズＬ１２、負レンズＬ１３を配してなる。
【００２０】
第２レンズ群Ｇ２は、物体側から像側へ向かって順次、負レンズＬ２１、正レンズＬ２２、正レンズＬ２３を配してなる。
【００２１】
結像レンズは、条件：
（１）  ０．２５  ＜Ｄａ／Ｄ１＜  ０．５
を満足する。
【００２２】
条件（１）のパラメータ：Ｄａ／Ｄ１のうちの、Ｄａは、第１レンズ群Ｇ１の正レンズＬ１１とＬ１２との光軸上の間隔である。
【００２３】
なお、間隔：Ｄａは、正レンズＬ１１の像側面と正レンズＬ１２の物体側面の、光軸上の間隔である。
【００２４】
また、Ｄ１は、第１レンズ群の最も物体側のレンズ面から最も像側のレンズ面までの光軸上の距離である。  
以下、この距離：Ｄ１を、第１レンズ群Ｇ１の「レンズ群長さ」とも呼ぶ。
【００２５】
図１〜図４に実施の形態を示した結像レンズでは、開口絞りＳの一方の側に正の屈折力の第１レンズ群Ｇ１、他方の側に正の屈折力の第２レンズ群Ｇ２を配してなる。
【００２６】
開口絞りＳの物体側に配された第１レンズ群Ｇ１は、物体側から像側へ向かって順次、正レンズＬ１１、正レンズＬ１２、負レンズＬ１３を配してなる。
【００２７】
また、開口絞りＳの像側に配された第２レンズ群Ｇ２は、物体側から像側へ向かって順次、負レンズＬ２１、正レンズＬ２２、正レンズＬ２３を配してなる。
【００２８】
第１レンズ群Ｇ１と第２レンズ群Ｇ２は、開口絞りＳに関して対称的に配置されており、従って、図１〜図４に示す結像レンズはガウス型である。
【００２９】
上述の如く、図１〜図４の結像レンズは「有限距離にある被検体を被写体として、撮像素子の受光面上に結像させるためのレンズ」として想定されている。
【００３０】
撮像素子はＣＣＤエリアセンサや、ＣＭＯＳセンサ等である。
【００３１】
図１〜４において、結像レンズの像側（右方）の符号ＦＧは、撮像素子のカバーガラスや各種フィルタ（光学ローパスフィルタ・赤外カットフィルタ等）を示す。
【００３２】
即ち、これらカバーガラスや各種フィルタを、光学的にこれらに等価な１枚の透明平行平板として図示し、これに符号ＦＧを付している。
【００３３】
上記の如く、結像レンズは、条件（１）を満足する。
【００３４】
条件（１）は、特に球面収差の良好な補正と、結像レンズのコンパクト性の実現のための条件である。
【００３５】
即ち、条件（１）は、第１レンズ群Ｇ１における正レンズＬ１１とＬ１２との間隔：Ｄａと第１レンズ群Ｇ１のレンズ群長さ：Ｄ１との比の適正な範囲を規定している。
【００３６】
条件（１）に示す如く、第１レンズ群Ｇ１における正レンズＬ１１とＬ１２との間隔：Ｄａが、第１レンズ群のレンズ群長さ：Ｄ１に対して大きく設定されている。
【００３７】
このように、第１レンズ群Ｇ１の物体側の２枚の正レンズＬ１１とＬ１２の間隔：Ｄａを、第１レンズ群中に大きく設定することが、この発明の特徴の一端をなしている。
【００３８】
条件（１）のパラメータ：Ｄａ／Ｄ１における間隔：Ｄａを増大させると、球面収差の補正には有利となる。
【００３９】
しかし、パラメータ：Ｄａ／Ｄ１が条件（１）を超えると、球面収差の補正のため「必要以上の空気間隔（Ｄａ）」を確保することになり、第１レンズ群Ｇ１が大型化しやすい。
【００４０】
条件（１）の上限を超えた状態で、第１レンズ群の大型化を避けるため、レンズ群長さ：Ｄ１を抑制すると、他のスペースが圧縮されることになり各種収差の補正が困難になる。
【００４１】
条件（１）の下限を超えると、球面収差を十分に補正することができなくなる。
【００４２】
条件（１）の下限を超えた状態で球面収差を無理に補正しようとすると、正レンズＬ１１が大径化、厚肉化することになり第１レンズ群Ｇ１の大型化や高コスト化の原因となる。
【００４３】
即ち、条件（１）の範囲外では、球面収差の良好な補正と第１レンズ群のコンパクト化の両立が困難である。
【００４４】
第１レンズ群Ｇ１の大型化や高コスト化は、結像レンズの大型化や高コスト化を齎す。
【００４５】
この発明の結像レンズは、上記構成に加えて、以下の条件（２）〜（１１）の任意の１以上を満足することが好ましい。
【００４６】
（２）  １．５２  ＜ｎｄ12＜  １．６５  
（３）  ６５．０  ＜νｄ12＜  ７５．０  
（４）  ０．００５＜Ｐg,F12−(−０．００１８０２×νd12＋０．６４８３)＜０．０５０
（５）  ０．１  ＜Ｄｂ／Ｄ２＜  ０．６  
（６）  ０．８  ＜ｆ１１／ｆ＜  １．２
（７）  １．４  ＜ｆ１１／ｆ１２＜２．５  
（８）  １．７５  ＜ｎd11  １．９５  
（９）  ３０．０  ＜νd11  <  ３８．０  
（１０）  −１．５  ＜（Ｒ１０−Ｒ１１）／（Ｒ１０＋Ｒ１１）＜  −０．４  
（１１）  １．７５  ＜ｎd22＜  １．９５    １．７５  ＜ｎd23＜  １．９５    。
【００４７】
これらの条件（２）〜（１１）の各パラメータにおける記号の意味は、以下のとおりである。
【００４８】
「ｎd12」および「νd12」はそれぞれ、第１レンズ群の正レンズＬ１２の材質の、ｄ線に対する屈折率：及びアッベ数である。
【００４９】
「Ｐｇ,F12」は、第１レンズ群の正レンズＬ１２の材質の「ｇ線とＦ線との間の部分分散比」である。
【００５０】
即ち、正レンズＬ１２の材質の「ｇ線とＦ線との間の部分分散比:Ｐｇ,F12」は、ｇ線、Ｆ線、Ｃ線に対する屈折率：ｎg12、ｎF12、ｎC12により、以下のように定義される。
【００５１】
Ｐg,F12=（ｎg12−ｎF12）／（ｎF12−ｎC12）                                  。
【００５２】
「Ｄｂ」は、第２レンズ群の正レンズＬ２２とＬ２３との光軸上の間隔である。
【００５３】
「Ｄ２」は、第２レンズ群の最も物体側のレンズ面と最も像側のレンズ面の光軸上の距離である。距離：Ｄ２を、第２レンズ群のレンズ群長とも称する。
【００５４】
「ｆ１１」は、第１レンズ群の正レンズＬ１１の焦点距離であり、「ｆ」は全系の焦点距離であり、「ｆ１２」は、第１レンズ群の正レンズＬ１２の焦点距離である。
【００５５】
「ｎd11」および「νd11」は、第１レンズ群の正レンズＬ１１の材質の、ｄ線に対する屈折率及びアッベ数である。
【００５６】
「Ｒ１０」は、第２レンズ群の正レンズＬ２３の、物体側面の曲率半径であり、「Ｒ１１」は、正レンズＬ２３の像側面の曲率半径である。
【００５７】
「ｎd22」は、第２レンズ群の正レンズＬ２２の材質のｄ線に対する屈折率、「ｎd23」は、第２レンズ群の正レンズＬ２３の材質のｄ線に対する屈折率である。  
条件（２）、（３）、（４）は、色収差を良好に補正するのに好ましい条件であり、第１レンズ群における正レンズＬ１２の材質を規定している。
【００５８】
即ち、条件（２）、（３）は、正レンズＬ１２の材質の屈折率・アッベ数の好適な範囲を上限値、下限値で規定し、屈折率や分散を適当な範囲に抑制している。
【００５９】
また、条件（４）は、正レンズＬ１２の材質の異常分散性の適当な範囲を規定している。
【００６０】
条件（４）の上限を超えると、正レンズＬ１２の材質が高価となって高コストとなったり、アップとなったり条件（２）、（３）を満たす硝材が存在しない。
【００６１】
条件（４）の下限を超えると、効果的な色収差補正が困難に成り易い。
【００６２】
これらの条件（２）、（３）、（４）を満足するレンズ材質で正レンズＬ１２を構成することにより、効果的な色収差補正が可能となり、コスト的にも有利になる。
【００６３】
条件（５）は、第２レンズ群における正レンズＬ２２とＬ２３との光軸上の間隔：Ｄｂと、第２レンズ群のレンズ群長：Ｄ２の比の適当な範囲を規定する条件である。
【００６４】
間隔：Ｄｂを、レンズ群長：Ｄ２に対して比較的大きく取ることにより、十分な射出瞳距離の確保と「歪曲収差を始めとする各種収差の補正」の両立を可能としている。
【００６５】
条件（５）の下限を超えると、十分な射出瞳距離を確保しつつ、歪曲収差を始めとする各種収差の良好な補正を実現することが困難となりやすい。
【００６６】
条件（５）の上限を超えると、間隔：Ｄｂが大きくなり、第２レンズ群を構成するレンズＬ２１〜Ｌ２３に対する設計の自由度が小さくなり、各種収差の補正が困難と成りやすい。
【００６７】
条件（６）は、結像レンズ全系のパワーと、第１レンズの正レンズＬ１１のパワーのバランスを図るために好ましい条件である。
【００６８】
条件（６）の上限を超えると、全系の正のパワーに対して正レンズＬ１１のパワーが弱くなり、これを補うために正レンズＬ１２のパワーを増大させる必要が生じる。
【００６９】
このため、第１レンズ群内の正レンズＬ１１、Ｌ１２のパワーのバランスが崩れやすく、第１レンズ群内での収差補正が困難と成り易い。
【００７０】
条件（６）の下限を超えると、全系の正のパワーに対して正レンズＬ１１のパワーが強くなり、これを補うために正レンズＬ１２のパワーを減少させる必要が生じる。
【００７１】
このため、第１レンズ群内の正レンズＬ１１、Ｌ１２のパワーのバランスが崩れやすく、第１レンズ群内での収差補正が困難と成り易い。
【００７２】
条件（７）は、第１レンズ群の正レンズＬ１１、Ｌ１２の正のパワーを相互にバランスさせるのに好ましい条件である。
【００７３】
条件（７）の上限を超えると、正レンズＬ１１のパワーが、正レンズＬ１２のパワーに対して相対的に弱くなり、これら正レンズの正のパワーのバランスが崩れやすい。
【００７４】
条件（７）の上限を超えると、正レンズＬ１１のパワーが、正レンズＬ１２のパワーに対して相対的に強くなり、これら正レンズの正のパワーのバランスが崩れやすい。
【００７５】
このため、条件（７）の範囲外では、第１レンズ群内での収差の補正が困難と成り易い。
【００７６】
条件（８）、（９）は、正レンズＬ１１の好ましいレンズ材質を規定する条件である。
【００７７】
条件（８）を満足する「比較的屈折率の大きい材質」を用いることで、正レンズＬ１１の適当な屈折力を「曲率の極端に大きいレンズ面」を用いずに実現できる。
【００７８】
条件（９）を満足する「比較的アッベ数の小さい低分散性の材質」を正レンズＬ１１に用いることにより、色収差をはじめとする各種収差の補正が容易に可能となる。
【００７９】
また、正レンズＬ１１以外のレンズの材質のアッベ数とのバランスがとり易くなり、結像レンズ系全系での色収差の補正が容易になる。
【００８０】
なお、条件（８）、（９）を満足する材質による正レンズＬ１１と、条件（２）〜（４）を満足する材質による正レンズＬ１２の組み合わせは、色収差の補正により有効である。
【００８１】
条件（８）の上限を超えるレンズ材質は、高価となり易く、コスト高を招来し易い。
【００８２】
条件（８）の下限を超える材質により正レンズＬ１１を形成した場合「球面収差の補正」が不十分となり易い。
【００８３】
条件（８）の下限を超える材質によるレンズで、球面収差の補正不足の解消に必要な正の屈折力を確保するには、正レンズＬ１１のレンズ面の曲率半径を小さくする必要がある。
【００８４】
このような曲率半径の小さいレンズを用いると、結像レンズの組み付けにおけるレンズ面の偏心や間隔変化に対して結像される像の画質劣化が大きくなりやすい。
【００８５】
また、条件（９）の範囲外では、正レンズＬ１１の材質と、これ以外のレンズの材質のアッベ数のバランスが取り難く、色収差をはじめとする各種収差の補正が困難となり易い。
【００８６】
条件（１０）は、第２レンズ群の正レンズＬ２３の「物体側レンズ面と像側レンズ面との屈折作用」をバランスさせる条件である。
【００８７】
条件（１０）の上限を超えても下限を超えても、球面収差等を、正レンズＬ２３の両面に好適に分配して補正することが困難となる。
【００８８】
条件（１１）は、第２レンズ群の正レンズＬ２２、Ｌ２３の材質の屈折率の好適な範囲を規定する条件である。
【００８９】
条件（１１）の上限を超えるレンズ材質は、高価となり易く、正レンズＬ２２、Ｌ２３のコスト高、ひいては結像レンズのコスト高を招来し易い。
【００９０】
また、条件（１１）の下限を超えるレンズ材質の場合、正レンズＬ２２、Ｌ２３の屈折力確保のために、これ等レンズのレンズ面の曲率半径が小さくなり易い。
【００９１】
このため、結像レンズの組み付けにおけるレンズ面の偏心や間隔変化に対して結像される像の画質劣化が大きくなりやすい。
【００９２】
図１〜図４に実施の形態を示した結像レンズにおいては、第１レンズ群Ｇ１の正レンズＬ１２と負レンズＬ１３が接合されている。
【００９３】
また、第２レンズ群Ｇ２の負レンズＬ２１と正レンズＬ２２が接合されている。
【００９４】
しかし、この発明の結像レンズの構成上、正レンズＬ１２と負レンズＬ１３、負レンズＬ２１と正レンズＬ２２とは、必ずしも接合されていなくてもよい。
【００９５】
また、接合する場合は、正レンズＬ１２と負レンズＬ１３のペア、負レンズＬ２１と正レンズＬ２２のペアの一方のみでもよい。
【００９６】
図１〜図４の形態例のように、第１レンズ群、第２のレンズ群の、２枚の正・負レンズを接合すると、これらレンズを個別に組み付けるよりも、組み付け精度を出しやすい。
【００９７】
また、正レンズＬ１２と負レンズＬ１３を接合すると、第１レンズ群Ｇ１のレンズ群長さ：Ｄ１を大きくせずに、条件（１）を満足する間隔：Ｄａを実現しやすい。
【００９８】
同様に、負レンズＬ１２と正レンズＬ２２を接合すると、第２レンズ群Ｇ２のレンズ群長さ：Ｄ２を大きくせずに、条件（２）を満足する間隔：Ｄｂを実現しやすい。
【実施例】
【００９９】
以下、結像レンズの具体的な実施例を４例挙げる。
【０１００】
各実施例における記号の意味は以下の通りである。
【０１０１】
F ：全系の焦点距離  
Fe：実効Ｆナンバ（像面から３００ｍｍの位置にある物体に対して合焦した状態の値）
F ：Ｆナンバ  
ω：半画角  
R ：曲率半径  
D ：面間隔  
Nd ：屈折率  
νd：アッベ数                                          。
【０１０２】
なお、全ての実施例において、最大像高は５．５０ｍｍである。
【０１０３】
「実施例１」
実施例１は、図１に示した結像レンズである。
【０１０４】
f=35.34  Fe=1.56  F=1.42  ω=9.38°       
実施例１のデータを表１に示す。
【０１０５】
【表１】
2014153543.tif 000003
【０１０６】
「条件のパラメータの値」
各条件のパラメータの値を表２に示す。
【０１０７】
【表２】
2014153543.tif 000004
【０１０８】
「実施例２」
実施例２は、図２に示した結像レンズである。
【０１０９】
f=35.21  Fe=1.58  F=1.41  ω=8.79°    
実施例２のデータを表３に示す。
【０１１０】
【表３】
2014153543.tif 000005
【０１１１】
「条件のパラメータの値」
各条件のパラメータの値を表４に示す。
【０１１２】
【表４】
2014153543.tif 000006
【０１１３】
「実施例３」
実施例３は、図３に示した結像レンズである。
【０１１４】
f=33.71  Fe=1.52  F=1.40  ω=9.00°      
実施例３のデータを表５に示す。
【０１１５】
【表５】
2014153543.tif 000007
【０１１６】
「条件のパラメータの値」
各条件のパラメータの値を表６に示す。
【０１１７】
【表６】
2014153543.tif 000008
【０１１８】
「実施例４」
実施例４は、図４に示した結像レンズである。
【０１１９】
f=33.71  Fe=1.51  F=1.42 ω=9.13°          
実施例４のデータを表７に示す。
【０１２０】
【表７】
2014153543.tif 000009
【０１２１】
「条件のパラメータの値」
各条件のパラメータの値を表８に示す。
【０１２２】
【表８】
2014153543.tif 000010
【０１２３】
なお、各実施例とも、条件（２）、（３）、（８）、（９）、（１１）を満足するものであることは、各実施例のデータを示す表１、３、５、７から直接に明らかである。
【０１２４】
図５〜図８に順次、上記実施例１〜４の結像レンズに関する収差図を示す。これ等収差図において、球面収差の破線は正弦条件を示す。
【０１２５】
また、非点収差の図中の実線は「サジタル光線」、破線は「メリディオナル光線」を表す。「細線」はｄ線に関するものであり、「太線」はｇ線に関するものである。
【０１２６】
なお、各収差図は、像面から３００ｍｍにある物体（被検物）に対してフォーカシングした状態での収差曲線図である。
【０１２７】
各実施例とも、収差は高いレベルで補正され、球面収差と軸上色収差とは「問題にならない」ほど小さい。
【０１２８】
非点収差、像面湾曲、倍率色収差も十分に小さく、コマ収差やその色差の乱れも最周辺部まで良く抑えられ、歪曲収差も絶対値で１．０％程度と小さい。
【０１２９】
この発明のように結像レンズを構成することにより、半画角が９度程度で、Ｆナンバが１．４程度と大口径でありながら、非常に良好な像性能を確保することが可能である。
【符号の説明】
【０１３０】
Ｇ１        第１レンズ群  
Ｓ          開口絞り  
Ｇ２        第２レンズ群  
Ｌ１１〜Ｌ１３      第１レンズ群を構成するレンズ  
Ｌ２１〜Ｌ２３      第２レンズ群を構成するレンズ  
【先行技術文献】
【特許文献】
【０１３１】
【特許文献１】特開平９−１７１１３６号公報
【図１】
2014153543.tif 000011
【図２】
2014153543.tif 000012
【図３】
2014153543.tif 000013
【図４】
2014153543.tif 000014
【図５】
2014153543.tif 000015
【図６】
2014153543.tif 000016
【図７】
2014153543.tif 000017
【図８】
2014153543.tif 000018